(57)【要約】【課題】１つ以上の無線装置を遠隔制御する。【解決手段】  本発明にかかる通信システムは、複数の無線回線と、複数の無線通信装置と、有線回線と、制御装置とを有する通信システムであって、前記無線通信装置それぞれと前記制御装置とは、前記複数の無線回線のいずれかと、前記有線回線を介して接続され、前記制御装置は、前記無線通信装置それぞれが無線通信に用いる無線回線の変更を受け付ける受付手段と、前記変更された無線回線を示す無線回線情報を、前記有線回線を介して無線通信装置に送信する送信手段とを有し、前記無線通信装置は、前記有線回線を介して送信された無線回線情報を受信する受信手段と、前記有線回線を介して受信された無線回線情報が示す無線回線を使用して、無線通信を行う無線通信手段とを有する。【選択図】図１１
2008078753.tif 000002
【特許請求の範囲】
【請求項１】
複数の無線回線と、複数の無線通信装置と、有線回線と、制御装置とを有する通信システムであって、
前記無線通信装置それぞれと前記制御装置とは、前記複数の無線回線のいずれかと、前記有線回線を介して接続され、
前記制御装置は、
前記無線通信装置それぞれが無線通信に用いる無線回線の変更を受け付ける受付手段と、
前記変更された無線回線を示す無線回線情報を、前記有線回線を介して無線通信装置に送信する送信手段と
を有し、
前記無線通信装置は、
前記有線回線を介して送信された無線回線情報を受信する受信手段と、
前記有線回線を介して受信された無線回線情報が示す無線回線を使用して、無線通信を行う無線通信手段と
を有する
通信システム。
【発明の詳細な説明】
【技術分野】
【０００１】
本発明は、無線装置を制御する通信システムに関する。
【背景技術】
【０００２】
一般に、無線装置は、無線装置のパネルに設けられたボタン等によって操作される。
しかしながら、１つ以上の無線装置は、制御装置からの遠隔操作によって操作できるよう改良されれば便利である。
【発明の開示】
【発明が解決しようとする課題】
【０００３】
本発明は、上述した背景からなされたものであって、無線装置を効率的に遠隔操作するために改良された通信システムを提供することを目的とする。
【課題を解決するための手段】
【０００４】
上記目的を達成するために、本発明にかかる通信システムは、複数の無線回線と、複数の無線通信装置と、有線回線と、制御装置とを有する通信システムであって、前記無線通信装置それぞれと前記制御装置とは、前記複数の無線回線のいずれかと、前記有線回線を介して接続され、前記制御装置は、前記無線通信装置それぞれが無線通信に用いる無線回線の変更を受け付ける受付手段と、前記変更された無線回線を示す無線回線情報を、前記有線回線を介して無線通信装置に送信する送信手段とを有し、前記無線通信装置は、前記有線回線を介して送信された無線回線情報を受信する受信手段と、前記有線回線を介して受信された無線回線情報が示す無線回線を使用して、無線通信を行う無線通信手段とを有する。
【０００５】
好適には、前記無線通信装置は、他の前記無線通信装置との無線通信に使用されている前記無線回線情報を、前記制御装置に送信する送信手段をさらに有し、前記制御装置は、前記無線通信装置および前記他の無線通信装置から、前記無線回線情報を受信する受信手段と、前記無線通信装置から受信した前記無線回線情報と、前記他の無線通信装置から受信した前記無線回線情報とが同じであるか否かを確認する確認手段とをさらに有する。
【０００６】
好適には、前記無線通信装置は、自身のハードウエア種別を前記制御装置に送信する送信手段をさらに有し、前記制御装置は、前記ハードウエア種別と、前記ハードウエア種別のハードウエアで使用される無線回線情報とを対応付けて記憶する記憶手段と、前記無線通信装置から、前記ハードウエア種別を受信する受信手段と、前記受信したハードウエア種別のハードウエアで使用される無線回線情報が前記記憶手段において記憶されているか否かを確認する確認手段と、前記無線通信装置から受信した前記無線通信回線情報と、前記他の無線通信装置から受信した前記無線通信回線情報とが同じではない場合、前記他の無線通信装置に対して、前記無線通信装置から受信した前記無線通信回線情報を送信する送信手段とをさらに有する。
【発明の効果】
【０００７】
本発明にかかる通信システムによれば、無線装置を効率的に遠隔操作することができる。
【発明を実施するための最良の形態】
【０００８】
［第１の実施形態］
以下、本発明の第１の実施形態を説明する。
図１は、本発明にかかる第１の通信システム１を例示する図である。
図１に示すように、第１の通信システム１は、制御装置１０と、ｓ種類の無線装置１４−１〜１４−ｎの内の１つ（図１においては無線装置１４−ｉ）とが、シリアルケーブルなどの有線回線および無線回線を介して接続され、さらに、無線装置１４−１〜１４−ｎは、相互に、無線回線を介して接続されて構成される。
例えば、第１の通信システム１においては、無線装置１４−ｉ，１４−ｊは、ＶＨＦ（Very High Frequeｎcy；超短波）帯の無線信号を伝送する無線装置（以下、ＶＨＦ用の無線装置と記述）であり、無線装置１４−ｐは、ＵＨＦ（Ultra-High Frequeｎcy；極短波）帯の無線信号を伝送する無線装置（以下、ＵＨＦ用の無線装置と記述）である（以下の各通信システムについて同様）。
第１の通信システム１においては、このような構成により、制御装置１０は、無線装置１４−ｉを制御する。
【０００９】
ただし、ｎは１以上の整数であって、ｎが常に同じ数を示すとは限らず、１≦ｉ，ｊ，ｐ，ｓ≦ｎであり、ｉ≠ｊ≠ｐである。
また、以下の各図において、実質的に同じ構成部分には、同じ符号が付される。
また、以下、複数存在しうる無線装置１４−１〜１４−ｎなどのいずれかが、特定されずに示されるときには、単に無線装置１４などと略記されることがある。
【００１０】
［制御装置１０］
以下、第１の通信システム１（図１）における制御装置１０を説明する。
図２は、制御装置１０のハードウエア構成を例示する図である。
図２に示すように、制御装置１０は、入出力装置１８、アンテナ１００、フィルタ１０２、無線受信装置１０４、有線通信装置１０６、本体１０８および記憶装置１１４を含む。
入出力装置１８は、パネル１８０（図３を参照して後述）などを含む。
アンテナ１００は、無線装置１４との間で、無線通信を行う。
【００１１】
有線通信装置１０６は、無線装置１４−ｉとの間で、有線通信を行う。
本体１０８は、ＣＰＵ１１０およびメモリ１１２などを含む。
記憶装置１１４は、ＣＤ装置、ＦＤ装置およびＨＤＤ装置などであって、記憶媒体１１６に対して情報の書込みおよび読出しを行う。
つまり、第１の通信システム１における制御装置１０は、無線装置１４−ｉとの有線通信と、無線装置１４との無線通信とが可能なコンピュータとしての構成部分を有している。
【００１２】
フィルタ１０２は、例えば、ＶＨＦ用の無線装置１４−ｉに対応して設けられ、このときには、フィルタ１０２は、無線装置１４−ｉからアンテナ１００を介して受けた無線信号から、ＶＨＦ帯の無線信号のみを選択し、無線受信装置１０４に対して出力する。
無線受信装置１０４は、信号増幅回路および復調回路（図示せず）などを含む。
例えば、無線受信装置１０４は、フィルタ１０２から入力されたＶＨＦ帯の無線信号を受信し、復調して、本体１０８に対して、データとして出力する。
【００１３】
図３は、入出力装置１８（図２）として用いられるパネル１８０の構成を例示する図である。
図３に示すように、入出力装置１８は、例えば、パネル１８０として実現され、パネル１８０は、スケルチＯＮ／ＯＦＦボタン１８２、チャネル表示部１８４、チャネル変更部１８６、周波数表示部１８８および変更確定ボタン１９０を有する。
これらのボタンおよび表示部は、ＵＩ(User Iｎterface)部１３０（図４を参照して後述）によって制御される。
【００１４】
［制御プログラム１２］
以下、制御装置１０において実行される制御プログラム１２を説明する。
図４は、制御装置１０（図１および図２）上で実行される制御プログラム１２を示す図である。
図４に示すように、制御プログラム１２は、無線回線情報データベース（ＤＢ）１２０、無線通信処理部１２２、無線受信部１２４、有線通信処理部１２６、チャネル情報受信部１２８、ＵＩ部１３０、変更情報送信部１３２および無線回線判定部１３４から構成される。
制御プログラム１２は、例えば、記憶媒体１１６（図２）を介して制御装置１０に供給され、本体１０８内のメモリ１１２にロードされ、ＣＰＵ１１０により、制御装置１０のハードウエアを具体的に利用して実行される（以下の各プログラムについて同様）。
【００１５】
無線回線情報ＤＢ１２０は、無線装置１４−ｉ（図１）が無線通信に使用できる無線回線の情報（無線回線情報）を記憶する。
この無線回線情報には、ＶＨＦ用の無線装置１４−ｉが、無線通信に使用する無線回線を識別する通信チャネル番号（以下、チャネルと記述）およびその周波数など、無線回線を利用するために必要な情報が、対応付けられて含まれる。
例えば、同一周波数の無線回線が、時分割多重され、複数のタイムスロットを含むときには、無線回線情報には、無線装置１４−ｉが使用するチャネル番号と、その周波数と、タイムスロットの識別子などが含まれる。
以下、説明の具体化および明確化のために、無線回線情報ＤＢ１２０が、無線装置１４−ｉが使用する無線回線の情報を記憶する場合を具体例とする。
【００１６】
無線通信処理部１２２は、無線受信装置１０４（図２）を制御して、制御装置１０が、無線装置１４と無線通信を行うために必要な処理を行い、無線受信装置１０４が無線装置１４からの無線信号を受信・復調して得たデータを、無線受信部１２４に対して出力する。
無線受信部１２４は、無線装置１４−ｉおよびその通信相手の無線装置１４−ｊが使用している無線回線情報を示すデータを受信し、無線回線判定部１３４に対して出力する。
有線通信処理部１２６は、制御装置１０が、無線装置１４−ｉと有線通信するために必要な処理を行う。
【００１７】
チャネル情報受信部１２８は、有線通信処理部１２６を介して、無線装置１４−ｉから、無線装置１４−ｉが使用しているチャネルの情報（チャネル情報）を受信し、ＵＩ部１３０に対して出力する。
ＵＩ部１３０は、パネル１８０（図３）における入出力を制御する。
つまり、ＵＩ部１３０は、スケルチＯＮ／ＯＦＦボタン１８２（図３）に対する利用者の操作に応じて、スケルチを有効にする、および、無効にする設定を受け付ける。
また、ＵＩ部１３０は、チャネル表示部１８４（図３）に対して、チャネル情報受信部１２８から入力された無線装置１４−ｉが使用しているチャネルを表示する。
【００１８】
ＵＩ部１３０は、チャネル変更ボタン１８６（図３）に対する利用者の操作に応じて、チャネル表示部１８４（図３）に表示されるチャネルの変更を受け付ける。
また、ＵＩ部１３０は、周波数表示部１８８（図３）に対して、チャネル表示部１８４に表示されるチャネルの周波数を表示する。
また、ＵＩ部１３０は、無線回線情報ＤＢ１２０から、チャネルに割り当てられる周波数を検索して、周波数表示部１８８（図３）に表示する。
さらに、ＵＩ部１３０は、パネル１８０の変更確定ボタン１９０（図３）に対する利用者による変更操作に応じて、無線装置１４−ｉに対するスケルチ設定および無線回線情報などの変更するための情報（変更情報）を受け付け、変更情報送信部１３２に対して出力する。
【００１９】
変更情報送信部１３２は、ＵＩ部１３０から入力された変更情報を、有線通信処理部１２６を介し、無線装置１４−ｉに送信する。
無線回線判定部１３４は、無線受信部１２４から入力された無線装置１４−ｉが使用している無線回線の情報と、無線装置１４−ｉが使用している無線回線情報が示す無線回線と、その通信相手の無線装置１４−ｊが使用している無線回線情報が示す無線回線とが、同じであるか否かを判定し、その判定結果を、有線通信処理部１２６を介して、無線装置１４−ｉに送信する。
【００２０】
図５は、図４に示した制御プログラム１２の処理（Ｓ１２）を示すフローチャートである。
ステップ１２０（Ｓ１２０）において、ＵＩ部１３０は、無線装置１４−ｉ（図１）のチャネル情報と、無線回線情報ＤＢ１２０（図４）とを使用して、利用者の操作に応じて、変更情報を生成する。
ステップ１２２（Ｓ１２２）において、変更情報送信部１３２（図４）は、ＵＩ部１３０が生成した変更情報を、無線装置１４−ｉに対して送信する。
【００２１】
ステップ１２４（Ｓ１２４）において、無線回線判定部１３４（図４）は、フィルタ１０２（図２）が、無線装置１４−ｉが通信を行う無線装置１４−ｊからの無線信号の受信に適合しているか否かを判定する。
例えば、無線装置１４−ｉがＶＨＦ用の無線装置１４―ｊと通信を行うとき、ＶＨＦ帯の無線信号を受信するフィルタ１０２は、無線装置１４−ｊからの無線信号の受信に適合する。
一方、無線装置１４−ｉがＵＨＦ用の無線装置１４−ｐと通信を行うとき、フィルタ１０２は、無線装置１４−ｐから無線回線を介して送信される無線回線の情報を受信できない。
無線回線の情報を受信できるとき、制御プログラム１２は、ステップ１２６（Ｓ１２６）の処理に進み、これ以外のときには、制御プログラム１２は、ステップ１２８（Ｓ１２８）における処理に進む。
【００２２】
ステップ１２６（Ｓ１２６）において、無線回線判定部１３４（図４）は、無線装置１４−ｉと、その通信相手の無線装置１４−ｊの無線回線情報が、同じ無線回線を示すか否かを判定する。
無線装置１４−ｉおよびその通信相手の無線装置１４−ｊの無線回線情報が示す無線回線が同じであるとき、制御プログラム１２は処理を終了し、これ以外のとき、制御プログラム１２は、ステップ１２８（Ｓ１２８）の処理に進む。
ステップ１２８（Ｓ１２８）において、制御プログラム１２は、エラー処理を行う。
【００２３】
［無線装置１４］
以下、第１の通信システム１（図１）における無線装置１４を説明する。
図６は、無線装置１４のハードウエア構成を例示する図である。
【００２４】
図６に示すように、無線装置１４は、アンテナ１００、有線通信装置１０６、記憶装置１１４、無線送受信装置１４０および本体１４２を含む。
アンテナ１００は、制御装置１０（図１および図２）および他の無線装置１４との間で、無線通信を行う。
有線通信装置１０６は、制御装置１０との間で、有線通信を行う。
つまり、第１の通信システム１における無線装置１４は、制御装置１０および他の無線装置１４との無線通信と、制御装置１４との有線通信とが可能なコンピュータとしての構成部分を有している。
【００２５】
無線送受信装置１４０は、信号増幅回路、復調回路および変調回路などを含み、アンテナ１００を介して受け取った無線信号を復調して、本体１４２に対して、データとして出力する。
また、無線送受信装置１４０は、本体１４２から入力されたデータで、搬送波信号を変調し、増幅して無線信号とし、アンテナ１００を介し、制御装置１０に対して送信する。
【００２６】
［無線装置プログラム１６］
以下、無線装置１４（図１および図６）上で実行される無線装置プログラム１６を説明する。
図７は、無線装置１４上で実行される無線装置プログラム１６を示す図である。
図７に示すように、変更プログラム１６は、無線通信処理部１２２、有線通信処理部１２６、設定情報ＤＢ１６０、データ処理部１６２、無線送受信部１６４、チャネル情報送信部１６６、変更情報受信部１６８、変更部１７０および無線回線一致確認部１７２から構成される。
【００２７】
設定情報ＤＢ１６０は、無線装置１４において有効に設定されている情報（例えば、スケルチ設定の情報および無線回線情報など）を記憶する。
データ処理部１６２は、無線回線一致確認部１７２により、無線回線が一致すると判断されたときに、無線通信処理部１２２を介して、通信相手の他の無線装置１４との間でデータを伝送する。
無線送受信部１６４は、無線通信処理部１２２を介し、設定情報ＤＢ１６０に記憶された無線回線情報を読み出し、制御装置１０（図１および図２）に送信する。
【００２８】
チャネル情報送信部１６６は、有線通信処理部１２６を介し、設定情報ＤＢ１６０に記憶される無線回線情報のうち、チャネル情報を読み出し、制御装置１０に送信する。
変更情報受信部１６８は、有線通信処理部１２６を介して、制御装置１０から変更情報を受信し、変更部１７０に対して出力する。
【００２９】
変更部１７０は、無線装置１４が、設定情報ＤＢ１６０に記憶される情報に従って無線通信を行うように、無線送受信装置１４０（図６）を制御する。
さらに、変更部１７０は、設定情報ＤＢ１６０に記憶される無線回線情報を、変更情報受信部１６８から入力された変更情報に合わせて変更する。
さらに、変更部１７０は、有線通信処理部１２６を介し、変更の成功／失敗を制御装置１０に通知する。
無線回線一致確認部１７２は、有線通信処理部１２６を介し、制御装置１０から、無線回線情報が一致するか否かを示す情報を受信し、データ処理部１６２に対して送信する。
【００３０】
図８は、図７に示した無線装置プログラム１６における処理（Ｓ１６）を示すフローチャートである。
ステップ１６０（Ｓ１６０）において、チャネル情報送信部１６６は、有線回線を介して、無線装置１４−ｉが使用しているチャネルを示すチャネル情報を、制御装置１０（図１および図２）に送信する。
ステップ１６２（Ｓ１６２）において、変更情報受信部１６８は、有線回線を介して、制御装置１０から変更情報を受信する。
【００３１】
ステップ１６４（Ｓ１６４）において、変更部１７０は、設定情報ＤＢ１６０に記憶される無線回線情報を、受信した変更情報に合わせて変更する。
ステップ１６６（Ｓ１６６）において、無線送受信部１６４は、無線回線を介して、無線装置１４−ｉが使用している無線回線を示す無線回線情報と、その通信相手の無線装置１４が使用している無線回線を示す無線回線情報とを、制御装置１０に送信する。
ステップ１６８（Ｓ１６８）において、無線回線一致確認部１７２は、有線回線を介して、無線装置１４−ｉが使用している無線回線を示す無線回線情報と、その通信相手の無線装置１４が使用している無線回線を示す無線回線情報とが一致するか否かを、制御装置１０から受信する。
無線回線情報が一致するときにのみ、無線装置１４−ｉは、データ処理部１６２（図７）によって、無線回線を介して、通信相手の無線装置１４と通信を行うことができる。
【００３２】
図９は、第１の通信システム１において、制御装置１０および無線装置１４−ｐが、無線回線および有線回線を介して接続される構成を示す図である。
以上、図１〜図８を参照して説明した第１の通信システム１において、制御装置１０（図１および図２）が、ＶＨＦ用の無線装置１４−ｉ（図１および図５）とは異なる種類の無線装置を制御できると便利である。
例えば、図９に示すように、制御装置１０が、ＶＨＦ用の無線装置１４−ｉ以外に、ＵＨＦ用の無線装置１４−ｐとも有線回線を介して接続可能であって、無線装置１４−ｐを制御できると便利である。
しかしながら、第１の通信システム１において、制御装置１０は、このような制御を行うことはできない。
なぜならば、無線装置１４のハードウエア種別によっては、無線装置１４は、制御装置１０において生成した変更情報を使用して、設定されている無線回線情報を変更できない可能性があるからである。
【００３３】
例えば、制御装置１０は、ＶＨＦ帯で使用される無線回線の情報を記憶し、この情報に基づいて変更情報を生成する。
制御装置１０が、有線回線を介して、ＶＨＦ用の無線装置１４−ｉのための変更情報を、ＶＨＦ用の無線装置１４−ｉに対して送信すると、無線装置１４−ｉは、この変更情報を受信して、受信した変更情報に従って、他の無線装置１４と、データの伝送を行うことができる。
一方、例えば、制御装置１０が、有線回線を介して、ＵＨＦ用の無線装置１４−ｐに、ＶＨＦ用の無線装置１４−ｉ用の変更情報を送信してしまうと、ＵＨＦ用の無線装置１４−ｐは、この変更情報を受信しても、受信した変更情報に従って、他の無線装置１４と、データの伝送を行うことはできない。
したがって、第１の通信システムにおいて、例えば、ＶＨＦ帯で使用される無線回線の情報を記憶する制御装置１０と、ＵＨＦ帯で使用される無線回線の情報を記憶する制御装置１０とが設けられることが望ましい。
以下に説明する本発明の第２の実施形態は、このような要望に従って、本発明の第１の実施形態（第１の通信システム１）が改良されたものである。
【００３４】
［第２の実施形態］
以下、本発明の第２の実施形態を説明する。
図１０は、本発明にかかる第２の通信システム２を例示する図である。
図１０に示すように、第２の通信システム２は、ｓ種類の制御装置１０−１〜１０−ｎと、ｓ種類の無線装置１４−１〜１４−ｎとが、それぞれ、無線回線および有線回線を介して接続され、無線装置１４−１〜１４−ｎが、無線回線を介して相互に接続されて構成される。
なお、通信システム２において、制御装置１０は、制御プログラム１２（図４）を実行し、無線装置１４は、無線装置プログラム１６（図７）を実行する。
【００３５】
以下の第２の通信システム２の説明においては、第１の通信システム１についての説明においてと同様に、無線装置１４−ｉ，１４−ｊが、ＶＨＦ用の無線装置であり、無線装置１４−ｐが、ＵＨＦ用の無線装置である場合が具体例とされる。
また、以下の第２の通信システム２の説明においては、制御装置１０−１〜１０−ｎそれぞれは、有線回線を介して接続された無線装置１４−１〜１４−ｎそれぞれが使用する無線回線を示す無線回線情報を記憶し、無線装置１４−１〜１４−ｎそれぞれを制御する場合が具体例とされる。
【００３６】
つまり、これらの具体例においては、例えば、制御装置１０−ｉ，１０−ｊは、ＶＨＦ用の無線装置が使用する無線回線を示す無線回線情報を記憶し、ＶＨＦ用の無線装置１４−ｉ，１４−ｊを制御する。
制御装置１０−ｐは、ＵＨＦ用の無線装置が使用する無線回線を示す無線回線情報を記憶し、ＵＨＦ用の無線装置１４−ｐを制御する。
【００３７】
第２の通信システム２においては、上記の構成により、ｓ種類の制御装置１０−１〜１０−ｎは、ｓ種類の無線装置１４−１〜１４−ｎを制御する。
しかしながら、第１の通信システム１（図１）と同様に、例えば、ＶＨＦ帯で使用される無線回線を示す無線回線情報を記憶する制御装置１０−ｉが、ＵＨＦ用の無線装置１４−ｐと有線回線を介して接続され、制御装置１０−ｉからＶＨＦ用の無線回線情報が、ＵＨＦ用の無線装置１４−ｐに送られてしまっても、無線装置１４−ｐは、この無線回線情報を用いて、他の無線装置１４との間で、データを伝送することはできない。
【００３８】
また、制御装置１０−ｉは、有線回線を介して変更情報を送信することによって制御を行うので、有線回線を介して接続されていない無線装置１４−ｊを制御することができない。
したがって、第２の通信システム２において、例えば、制御装置１０が、制御の対象となる無線装置１４−ｉ，１４−ｊ，１４−ｐのすべてに接続され、これらの無線装置が使用する無線回線の情報をすべて記憶することが望ましい。
以下に説明する本発明の第３の実施形態は、このような要望に従って、本発明の第２の実施形態（第２の通信システム２）が改良されたものである。
【００３９】
［第３の実施形態］
図１１は、本発明にかかる第３の通信システム３を例示する図である。
図１１に示すように、第３の通信システム３は、制御装置３０と、ｓ種類の無線装置３４−１〜３４−ｎとが、それぞれ、無線回線および有線回線を介して接続されて構成される。
【００４０】
なお、以下の第３の通信システム３の説明においては、無線装置３４−ｉ，３４−ｊ，３４−ｋはＶＨＦ用の無線装置であり、無線装置３４−ｐはＵＨＦ用の無線装置であり、無線装置３４−ｑはＨＦ（High Frequeｎcy；短波）用の無線装置である場合が具体例とされる（ただし、１≦ｋ，ｑ≦ｎであり、ｉ≠ｊ≠ｋ≠ｐ≠ｑ）。
また、同様に、制御装置３０が、ＶＨＦ用の無線装置３４−ｉ，３４−ｊ，３４−ｋおよびＵＨＦ用の無線装置３４−ｐの無線回線を示す無線回線情報を記憶し、これらの無線装置３４を制御する場合が具体例とされる。
【００４１】
［制御装置３０］
以下、第３の通信システム３（図１１）における制御装置３０を説明する。
図１２は、図１１に示した制御装置３０のハードウエア構成を示す図である。
図１２に示すように、制御装置３０は、アンテナ１００、フィルタ１０２−１〜１０２−ｎ、有線通信装置１０６、本体１０８、記憶装置１１４、切替装置３００、スイッチ３０２，３０４、無線受信装置３０６およびパネル３８０（図１３を参照して後述）を含む入出力装置３８を含む。
【００４２】
アンテナ１００は、無線装置３４（図１１）との間で、無線通信を行う。
有線通信装置１０６は、無線装置３４との間で、有線通信を行う。
つまり、第３の通信システム３における制御装置３０は、無線装置３４との無線通信および有線通信が可能なコンピュータとしての構成部分を有している。
【００４３】
フィルタ１０２−１〜１０２−ｎそれぞれは、無線装置３４−１〜３４−ｎそれぞれに対応して設けられる。
フィルタ１０２−ｉは、ＶＨＦ用の無線装置３４−ｉに対応して設けられ、アンテナ１００で受けられた無線信号の内、無線装置３４からのＶＨＦ帯の無線信号を選択して、無線受信装置３０６に対して出力する。
同様に、フィルタ１０２−ｐは、ＵＨＦ用の無線装置３４−ｐに対応して設けられ、ＵＨＦ帯の無線信号を選択して、無線受信装置３０６に対して出力する。
【００４４】
切替装置３００は、スイッチ３０２，３０４を制御して、無線回線を介して通信中の無線装置３４に適合したフィルタ１０２が、アンテナ１００と無線受信装置１０４との間で接続されるように切り換えさせる。
例えば、切替装置３００は、制御装置３０が、ＶＨＦ用の無線装置３４−ｉからの無線信号を受けるときには、フィルタ１０２−ｉを、アンテナ１００と無線受信装置１０４との間に接続する。
同様に、切替装置３００は、制御装置３０が、ＵＨＦ用の無線装置３４−ｐからの無線信号を受けるときには、フィルタ１００−ｐを、アンテナ１００と無線受信装置１０４との間に接続する。
無線受信装置３０６は、フィルタ１０２−iから入力されたＶＨＦ帯の無線信号と、フィルタ１０２−ｐから入力されたＵＨＦ用の無線信号とを受信して、本体１０８に対して出力する。
【００４５】
図１３は、入出力装置３８（図１２）として用いられるパネル３８０の外観を例示する図である。
図１３に示すように、入出力装置３８（図１４）は、例えば、パネル３８０として実現され、パネル３８０は、アラームＬＥＤ部３８２、タイマ表示部３８４、タイマ変更ボタン３８６、スケルチＯＮ／ＯＦＦボタン１８２、チャネル表示部１８４、チャネル変更部１８６、周波数表示部１８８および設定ボタン１９０を有する。
【００４６】
さらに、アラームＬＥＤ部３８２は、送信データ検知ランプ（ＴＸ  ＤＴ）、送信データ検知ランプ（ＲＸ  ＤＴ）、チャネル警告ランプ（ＣＨ  ＡＬＴ）、周波数警告ランプ（ＦＲＱ  ＡＬＴ）、フィルタ警告ランプ（ＦＩＬ  ＡＬＴ）およびチューニングランプ（ＴＵＮＥ）を有する。
これらのボタンおよび表示部は、制御部３２２（図１４を参照して後述）によって制御される。
【００４７】
［制御プログラム３２］
以下、制御装置３０（図１１，図１２）において実行される制御プログラム３２を説明する。
図１４は、制御装置３０上で実行される制御プログラム３２の構成を示す図である。
図１４に示すように、制御プログラム３２は、無線通信処理部１２２、無線受信部１２４、有線通信処理部１２６、チャネル情報受信部１２８、変更情報送信部１３２、無線回線判定部１３４、HardWare（ＨＷ）・無線回線情報ＤＢ３２０、制御部３２２、ＨＷ種別受信部３２４、変更情報判定部３２６およびＨＷ種別判定部３２８から構成される。
なお、図１４に示した無線受信部１２４、有線通信処理部１２６、チャネル情報受信部１２８、変更情報送信部１３２、無線回線判定部１３４、無線通信処理部１２２は、図４を参照して既に説明してあるので、これらの構成部分については、該当箇所を参照のこと。
【００４８】
ＨＷ・無線回線情報ＤＢ３２０は、ｓ種類の無線装置３４（図１１）のハードウエア種別を示すハードウエア情報と、この無線装置３４が使用する無線回線を示す無線回線情報とを、対応付けて記憶する。
例えば、ＨＷ・無線回線情報ＤＢ３２０は、ＶＨＦ用の無線装置３４−i，３４−ｊ，３４−ｋのハードウエア種別と、これらの無線装置３４−i，３４−ｊ，３４−ｋが使用するＶＨＦ帯の無線回線を示す無線回線情報とを対応付けて記憶し、ＵＨＦ用の無線装置３４−ｐのハードウエア種別と、この無線装置３４−ｐが使用するＵＨＦ帯の無線回線を示す無線回線情報とを、対応付けて記憶する。
【００４９】
制御部３２２は、制御プログラム３２動作中に異常がある場合、パネル３８０（図１３）のアラームＬＥＤ部３８２のランプを、適切に点滅させることで、制御装置３０の操作者に注意を促す。
制御部３２２は、パネル３８０のタイマ表示部３８４に、制御部３２２が制御プログラム３２を起動する間隔を表示する。
例えば、タイマ表示部３８４が“１０ｍｓｅｃ”と表示する場合、制御部３２２が１０ミリ秒ごとに制御プログラム３２を起動して、無線装置３４を制御することを意味する。
制御部３２２は、タイマ変更部３８４に対する利用者の操作に応じて、タイマ表示部３８４に表示される間隔を変更する。
ＨＷ種別受信部３２４は、無線装置３４から、有線回線を介して、無線装置３４のハードウエア種別を受信し、変更情報判定部３２６およびＨＷ種別判定部３２８に対して出力する。
【００５０】
変更情報判定部３２６は、ＨＷ・無線回線情報ＤＢ３２０に記憶されるハードウエア情報に、ＨＷ種別受信部３２４から入力されたハードウエア種別が含まれるときに、制御部３２２が生成した変更情報が適切であると判定し、これ以外のときには、この変更情報が不適切であると判定する。
変更情報判定部３２６は、変更情報が適切であるときのみ、変更情報を変更情報送信部１３２に対して出力する。
なお、変更情報が適切なときには、無線装置３４は、この変更情報に合わせて、自身が記憶する無線回線情報を変更し、また、この変更情報に従って、データを伝送できる。
一方、変更情報が不適切なときには、無線装置３４は、この変更情報に合わせて、自身が記憶する無線回線情報を変更することはできず、また、この変更情報に従って、データを伝送することはできない。
【００５１】
ＨＷ種別判定部３２８は、ＨＷ種別受信部３２４から入力された無線装置３４のハードウエア種別と、無線装置３４の通信相手のハードウエア種別とを用いて、無線装置３４のハードウエア種別と、他の無線装置３４のハードウエア種別とが同じか否かを判定する。
ハードウエア種別が同じであるとき、ＨＷ種別判定部３２８は、そのハードウエア種別を、切替装置３００（図１２）に送信し、判定の対象となった無線装置３４と、その通信相手とに適合するフィルタ１０２を選択するように、切替装置３００を制御する。
一方、これ以外のとき、ＨＷ種別判定部３２８は、有線通信処理部１２６を介し、エラーメッセージを、無線装置３４およびその通信相手の無線装置３４に対して通知する。
【００５２】
図１５は、制御プログラム３２の処理（Ｓ３２）を示すフローチャートである。
ステップ３２０（Ｓ３２０）において、制御部３２２（図１４）は、チャネル情報受信部１２８（図１４）から入力されたチャネル情報と、ＨＷ・無線回線情報ＤＢ３２０（図１４）に記憶されている無線回線情報とを用いて、入出力装置３８（図４）に対する利用者の操作に応じて、変更情報を生成する。
ステップ３２２（Ｓ３２２）において、ＨＷ種別受信部３２４（図１４）は、無線装置３４（図１１）のハードウエア種別を受信する。
【００５３】
ステップ３２４（Ｓ３２４）において、変更情報判定部３２６は、ハードウエア種別に基づいて、制御部３２２から入力された変更情報が適切であるか否かを判定する。
具体的には、変更情報判定部３２６は、無線装置３４（図１１）からハードウエア種別を受信したとき、ＨＷ・無線回線情報ＤＢ３２０が、このハードウエア種別を示すハードウエア情報を記憶しているか否かを判定する。
【００５４】
例えば、上述したように、ＨＷ・無線回線情報ＤＢ３２０は、ＶＨＦ用の無線装置のハードウエア種別を示すハードウエア情報と、この無線装置が使用するＶＨＦ帯の無線回線を示す無線回線情報とを対応付けて記憶し、ＵＨＦ用の無線装置のハードウエア種別を示すハードウエア情報と、この無線装置が使用するＵＨＦ帯の無線回線を示す無線回線情報とを、対応付けて記憶する。
変更情報判定部３２６は、ＨＷ種別受信部３２４から、ＶＨＦ用の無線装置３４−iのハードウエア種別を受信するとき、ＨＷ・無線回線情報ＤＢ３２０はＶＨＦ用の無線装置のハードウエア種別を示すハードウエア情報を記憶しているため、受信した変更情報は適切である。
一方、変更情報判定部３２６は、ＨＷ種別受信部３２４から、ＨＦ用の無線装置３４−ｑのハードウエア種別を受信するとき、ＨＷ・無線回線情報ＤＢ３２０はＨＦ用の無線装置のハードウエア種別を示すハードウエア情報を記憶していないため、受信した変更情報は適切ではない。
変更情報が適切であるとき、制御プログラム３２は、ステップ３２６（Ｓ３２６）の処理に進み、これ以外のときには、ステップ３３８（Ｓ３３８）の処理に進む。
【００５５】
ステップ３２６（Ｓ３２６）において、変更情報判定部３２６は、適切であると判定された変更情報を、変更情報送信部１３２に出力する。
ステップ３２８（Ｓ３２８）において、ＨＷ種別受信部３２４は、以下に例示するように、無線装置３４（図１１）の通信先である他の無線装置３４のハードウエア種別を受信する。
【００５６】
ステップ３３０（Ｓ３３０）において、ＨＷ種別判定部３２８は、以下に例示するように、ステップ３２２（Ｓ３２２）において受信されたハードウエア種別と、ステップ３２８（Ｓ３２８）において受信されたハードウエア種別とが同じであるか否かを判定する。
例えば、無線装置３４−ｉ，３４−ｊがともにＶＨＦ用の無線装置であるとき、ハードウエア種別は同じであり、制御プログラム３２は、ステップ３３２（Ｓ３３２）に処理を進める。
また、無線装置３４−iがＶＨＦ用の無線装置であり、無線装置３４−ｐがＵＨＦ用の無線装置であるとき、ハードウエア種別は異なり、制御プログラム３２は、ステップ３３８（Ｓ３３８）に処理を進める。
【００５７】
ステップ３３２（Ｓ３３２）において、無線受信装置１０２は、以下に例示するように、無線回線を介し、無線装置３４から、無線装置３４が使用している無線回線の情報を受信し、他の無線装置３４から、他の無線装置３４が使用している無線回線の情報を受信する。
例えば、無線装置３４−ｉが無線装置３４−ｊと通信を行うとき、無線受信装置１０２は、無線装置３４−ｉが使用している無線回線の情報と、無線装置３４−ｊが使用している無線回線の情報とを受信する。
【００５８】
ステップ３３４（Ｓ３３４）において、無線回線判定部１３４は、以下に例示するように、ステップ３３２（Ｓ３３２）で受信した無線装置３４の無線回線の情報と、通信相手の無線装置３４の無線回線の情報とが、それぞれ同じであるか否かを判定する。
例えば、無線装置３４−ｉのチャネルが１０ｃｈ、周波数がXXX ＭＨｚ（XXXは１０ｃｈに対応する周波数の値を示す）であり、通信相手の無線装置３４−ｊのチャネルが１０ｃｈ、周波数がXXX ＭＨｚであるとき、無線回線の情報は同じであり、制御プログラム３２は正常に終了する。
一方、無線装置３４−ｉのチャネルが１０ｃｈ、周波数がXXX ＭＨｚであり、通信相手の無線装置３４−ｋのチャネルが１ｃｈ、周波数がYYY ＭＨｚ（YYYは１ｃｈに対応する周波数の値を示す）であるとき、無線回線の情報は異なり、制御プログラム３２は、ステップ３３４（Ｓ３３４）に処理を進める。
【００５９】
ステップ３３６（Ｓ３３６）において、無線回線判定部１３４は、ステップ３２０（Ｓ３２０）において受信した無線装置３４で使用されている無線回線の情報を、通信相手の無線装置１４に送信する。
例えば、制御装置３０は、無線装置３４−ｉが使用しているチャネル１０ｃｈおよび周波数XXX ＭＨｚを、通信相手の無線装置３４−ｋに対して送信する。
【００６０】
ステップ３３６（Ｓ３３６）における送信によって、通信相手の無線装置３４の無線回線の情報が変更され、無線装置３４の無線回線の情報と、通信相手の無線装置３４の無線回線の情報とが一致した後、制御プログラム３２は終了する。
例えば、無線装置３４−ｋは、無線装置３４−ｋにおいて設定されているチャネルの情報を１０ｃｈに、周波数の情報をXXX ＭＨｚに変更する。
無線装置３４−ｉ，３４−ｋにおいて、チャネルの情報および周波数の情報が一致した後、制御プログラム３２は終了する。
【００６１】
ステップ３３８（Ｓ３３８）において、制御プログラム３２はエラー処理を行った後、終了する。
例えば、制御プログラム３２は、パネル３８０（図１３）のアラームＬＥＤ部３８２のランプを、適切に点滅させることで、制御装置３４（図１１）の操作者に注意を促す。
【００６２】
［無線装置３４］
以下、第３の通信システム３（図１１）における無線装置３４を説明する。
図１６は、無線装置３４のハードウエア構成を例示する図である。
図１６に示すように、無線装置３４は、アンテナ１００、無線送受信装置１４０、有線通信装置１０６、本体３４０および記憶装置１１４を含む。
【００６３】
本体３４０のＣＰＵ１１０のIOポート（図示せず）などには、無線装置３４それぞれのハードウエア種別が設定され、この設定は、ソフトウエア的な処理により読み出されうる。
アンテナ１００は、制御装置３０（図１１および図１２）および他の無線装置３４との間で、無線通信を行う。
有線通信装置１０６は、制御装置３０との間で、有線通信を行う。
つまり、第３の通信システム３における無線装置３４は、制御装置３０との無線通信および有線通信が可能なコンピュータとしての構成部分を有している。
【００６４】
［無線装置プログラム３６］
以下、第３の通信システム３（図１１）における無線装置プログラム３６を説明する。
図１７は、無線装置３４（図１１，図１２）上で実行される無線装置プログラム３６の構成を示す図である。
図１７に示すように、無線装置プログラム３６は、無線通信処理部１２２、有線通信処理部１２６、設定情報ＤＢ１６０、データ処理部１６２、無線送受信部１６４、チャネル情報送信部１６６、変更情報受信部１６８、変更部１７０、ＨＷ種別送信部３６０および無線回線一致確認部１７２から構成される。
なお、図１７に示した無線通信処理部１２２、有線通信処理部１２６、設定情報ＤＢ１６０、データ処理部１６２、無線送受信部１６４、チャネル情報送信部１６６、変更情報受信部１６８、変更部１７０および無線回線一致確認部１７２は、図７を参照してすでに説明してあるので、これらの構成部分については、該当箇所を参照のこと。
ＨＷ種別送信部３６０は、本体３４０（図１６）のＣＰＵ１１０に設定されたハードウエア種別を読み出して、有線通信処理部１２６を介し、制御装置１０に送信する。
【００６５】
図１８は、無線装置プログラム３６（図１７）の処理（Ｓ３６）を示すフローチャートである。
ステップ３６０（Ｓ３６０）において、ＨＷ種別送信部３６０は、無線装置３４（図１１）のハードウエア種別を、有線通信処理部１２６を介して、制御装置３０（図１１，図１２）に送信する。
また、チャネル情報送信部１６６は、無線装置３４が使用しているチャネルを示すチャネル情報を、有線通信処理部１２６を介して、制御装置３０に対して送信する。
【００６６】
ステップ３６２（Ｓ３６２）において、変更情報受信部１６８は、有線通信処理部１２６を介して、制御装置３０から変更情報を受信する。
ステップ３６４（Ｓ３６４）において、設定情報ＤＢ１６０において記憶されている情報を、受信した変更情報に変更する。
ステップ３６６（Ｓ３６６）において、無線送受信部１６４は、無線通信処理部１２２（図１７）を介して、無線装置３４が使用している無線回線の情報を、制御装置３０に対して送信する。
【００６７】
［第３の通信システム３の全体動作］
以下、第３の通信システム３の全体動作を説明する。
図１９は、第３の通信システム３において、制御装置３０と無線装置３４−i，３４−ｊとが有線回線および無線回線を介して接続され、無線装置３４−ｉ，３４−ｊが、相互に無線回線を介して接続される構成を示す図である。
なお、以下の説明においては、無線装置３４−ｉ，３４−ｊが使用する無線回線を識別するチャネルが１０ｃｈであって、その周波数がXXX ＭＨｚである場合が具体例とされる。
【００６８】
図２０は、図１９に示した制御装置３０および無線装置３４−i，３４−ｊの全体的な動作（Ｓ１０）を例示する通信シーケンス図である。
なお、以下の各図において、実線で示された矢印は有線によるデータ通信を意味し、破線で示された矢印は無線によるデータ通信を意味する。
【００６９】
ステップ１００（Ｓ１００）において、無線装置３４−ｉは、有線回線を介して、無線装置３４−ｉが使用しているチャネルの情報を、制御装置３０に対して送信する。
ステップ１０２（Ｓ１０２）において、制御装置３０は、変更情報を生成する。
【００７０】
ステップ１０４（Ｓ１０４）において、無線装置３４−ｉは、有線回線を介して、無線装置３４−ｉのハードウエア種別を、制御装置３０に対して送信する。
ステップ１０６（Ｓ１０６）において、制御装置３０は、ステップ１０２（Ｓ１０２）において生成された変更情報が適切であるか否かを判定する。
制御装置３０は、ＶＨＦ用の無線装置３４−iのハードウエア種別を示すハードウエア情報を記憶するため、変更情報は適切である。
【００７１】
ステップ１０８（Ｓ１０８）において、制御装置３０は、変更情報を無線装置３４−ｉに送信する。
ステップ１１０（Ｓ１１０）において、無線装置３４−ｉは、無線装置３４−ｉにおいて設定されている設定情報を、制御装置から受信した変更情報に変更する。
ステップ１１２（Ｓ１１２）において、無線装置３４−ｊは、制御装置３０に、無線装置３４−ｊのハードウエア種別を送信する。
【００７２】
ステップ１１４（Ｓ１１４）において、制御装置３０は、無線装置３４−ｉ，３４−ｊのハードウエア種別が同じであるか否かを判定する。
無線装置３４−ｉ，３４−ｊはＶＨＦ用であり、ハードウエア種別は同じであるので、制御プログラム３２は、ＶＨＦ帯の無線信号を選択するフィルタ１０２−ｉが使用されるよう切り替えさせる。
【００７３】
ステップ１１６（Ｓ１１６）において、無線装置３４−ｉ，３４−ｊは、無線回線を介して、無線装置３４−ｉ，３４−ｊが使用している無線回線の情報を、制御装置３０に対して送信する。
ステップ１１８（Ｓ１１８）において、制御装置３０は、受信した無線装置３４−ｉ，３４−ｊの無線回線の情報が同じであるか否かを判定する。
無線装置３４−ｉ，３４−ｊの無線回線の情報は同じなので、無線装置３４−ｉ，３４−ｊは、無線通信によりデータを送受信することができる（ステップ１２０（Ｓ１２０））。
【００７４】
図２１は、第３の通信システム３において、制御装置３０および無線装置３４−ｑが有線回線を介して接続される構成を示す図である。
なお、図２１において、無線装置３４−ｑは、ＨＦ用の無線装置である。
【００７５】
図２２は、図２１に示した制御装置３０および無線装置３４−ｑの全体的な動作（Ｓ１０）を例示する通信シーケンス図である。
ステップ１０６（Ｓ１０６）において、制御装置３０は、ＨＦ用の無線装置３４−ｑのハードウエア種別を示すハードウエア情報を記憶しないため、変更情報は適切ではない。
したがって、ステップ１２２（Ｓ１２２）において、制御プログラム３２は、変更情報が適切ではないというエラーを表示する。
さらに、制御プログラム３２は、上記のエラーの情報を無線装置３４−i，３４−ｑに送信する。
【００７６】
図２３は、第３の通信システム３において、制御装置３０および無線装置３４−i，３４−ｐが有線回線および無線回線を介して接続される構成を示す図である。
なお、図２３において、無線装置３４−ｐは、ＵＨＦ用の無線装置である。
【００７７】
図２４は、図２３に示した制御装置３０および無線装置３４−i，３４−ｐの全体的な動作（Ｓ１０）を例示する通信シーケンス図である。
図２４に示すステップ１１４（Ｓ１１４）において、ＶＨＦ用の無線装置３４−iのハードウエア種別と、ＵＨＦ用の無線装置３４−ｐのハードウエア種別とは、同じではない。
したがって、ステップ１２４（Ｓ１２４）において、制御プログラム３２は、無線装置３４−i，３４−ｐのハードウエア種別が同じではないため通信ができないというエラーを表示し、このエラーの情報を無線装置３４−i，３４−ｐに送信する。
【００７８】
図２５は、第３の通信システム３において、制御装置３０および無線装置３４−i，３４−ｋが有線回線および無線回線を介して接続され、無線装置３４−ｉ，３４−ｋが無線回線を介して接続される構成を示す図である。
なお、図２５において、無線装置３４−ｋは、ＶＨＦ用の無線装置であり、チャネルに１ｃｈを使用し、周波数にYYY ＭＨｚを使用する。
【００７９】
図２６は、図２５に示した制御装置３０および無線装置３４−i，３４−ｋの全体的な動作（Ｓ１０）を例示する通信シーケンス図である。
ステップ１１８（Ｓ１１８）において、無線装置３４−ｉが使用する無線回線情報（１０ｃｈ，XXX ＭＨｚ）と、無線装置３４−ｋが使用する無線回線情報（１ｃｈ，YYY ＭＨｚ）とは、同じではない。
したがって、ステップ１２６（Ｓ１２６）において、制御装置３０は、無線装置３４−ｋに、無線装置３４−iが使用する無線回線情報を送信する。
【００８０】
さらに、ステップ１２８（Ｓ１２８）において、無線装置３４−ｋは、無線装置３４−ｋが記憶する無線回線情報を、制御装置３０から受信した無線装置３４−iの無線回線情報に変更する。
上記の処理によって、無線装置３４−i，３４−ｋの無線回線情報は一致するため、無線装置３４−i，３４−ｋは、無線回線を介してデータを送受信することができる（ステップ１２０（Ｓ１２０））。
【００８１】
このように、第３の通信システム３において、制御装置３０は、無線装置３４に変更情報を送信する前に、無線装置３４のハードウエア種別に基づいて、その変更情報が適切であるか否かの判定を行う。
適切な変更情報だけを送信することによって、制御装置３０から無線装置３４に適切ではない変更情報が送信されて、無線装置３４が変更情報に変更できなくなるおそれはなくなる。
【００８２】
また、制御装置３０は、無線装置３４の通信相手の無線装置３４と有線接続されているため、通信相手の無線装置３４を制御することができる。
以上説明したように、本発明の実施形態にかかる各通信システムにおいて、制御装置は、１つ以上の無線装置を遠隔操作することができる。
【図面の簡単な説明】
【００８３】
【図１】本発明の実施形態が適用される第１の通信システムを例示する図である。
【図２】無線装置のハードウエア構成を例示する図である。
【図３】入出力装置として用いられるパネルの構成を例示する図である。
【図４】制御装置上で実行される制御プログラムを示す図である。
【図５】制御プログラムにおける処理を示すフローチャートである。
【図６】無線装置のハードウエア構成を例示する図である。
【図７】無線装置上で実行される無線装置プログラムを示す図である。
【図８】無線装置プログラムにおける処理を示すフローチャートである。
【図９】本発明の実施形態が適用される第１の通信システムを例示する図である。
【図１０】本発明の実施形態が適用される第２の通信システムを例示する図である。
【図１１】本発明の実施形態が適用される第３の通信システムを例示する図である。
【図１２】制御装置のハードウエア構成を例示する図である。
【図１３】入出力装置として用いられるパネルの外観を例示する図である。
【図１４】制御装置上で実行される制御プログラムの構成を示す図である。
【図１５】制御プログラムの処理を示すフローチャートである。
【図１６】無線装置のハードウエア構成を例示する図である。
【図１７】無線装置プログラムの構成を示す図である。
【図１８】無線装置プログラムの処理を示すフローチャートである。
【図１９】第３の通信システムにおいて、制御装置および無線装置が有線回線および無線回線を介して接続され、無線装置が無線回線を介して接続される構成を示す図である。
【図２０】第３の通信システムの全体的な動作を例示する通信シーケンス図である。
【図２１】制御装置および無線装置が有線回線を介して接続される構成を示す図である。
【図２２】第３の通信システムの全体的な動作を例示する通信シーケンス図である。
【図２３】制御装置および無線装置が有線回線および無線回線を介して接続される構成を示す図である。
【図２４】第３の通信システムの全体的な動作を例示する通信シーケンス図である。
【図２５】制御装置および無線装置が有線回線および無線回線を介して接続され、無線装置が無線回線を介して接続される構成を示す図である。
【図２６】第３の通信システムの全体的な動作を例示する通信シーケンス図である。
【符号の説明】
【００８４】
１・・・第１の通信システム
１０・・・制御装置
１００・・・アンテナ
１０２・・・フィルタ
１０４・・・無線受信装置
１０６・・・有線通信装置
１０８・・・本体
１１０・・・ＣＰＵ
１１２・・・メモリ
１１４・・・記憶装置
１１６・・・記憶媒体
１８・・・入出力装置
１８０・・・パネル
１８２・・・スケルチＯＮ／ＯＦＦボタン
１８４・・・チャネル表示部
１８６・・・チャネル変更ボタン
１８８・・・周波数表示部
１９０・・・変更確定ボタン
１２・・・制御プログラム
１２０・・・無線回線情報ＤＢ
１２２・・・無線通信処理部
１２４・・・無線受信部
１２６・・・有線通信処理部
１２８・・・チャネル情報受信部
１３０・・・ＵＩ部
１３２・・・変更情報送信部
１３４・・・無線回線判定部
１４・・・無線装置
１４０・・・無線送受信装置
１４２・・・本体
１６・・・無線装置プログラム
１６０・・・設定情報ＤＢ
１６２・・・データ処理部
１６４・・・変更情報送受信部
１６６・・・チャネル情報送信部
１６８・・・変更情報受信部
１７０・・・変更部
１７２・・・無線回線一致確認部
２・・・第２の通信システム
３・・・第３の通信システム
３０・・・制御装置
３００・・・切替装置
３０２・・・スイッチ
３０４・・・スイッチ
３０６・・・無線受信装置
３６・・・入出力装置
３６０・・・パネル
３６２・・・アラームＬＥＤ部
３６４・・・タイマ表示部
３６６・・・タイマ変更ボタン
３２・・・制御プログラム
３２０・・・ＨＷ・無線回線情報ＤＢ
３２２・・・制御部
３２４・・・ＨＷ種別受信部
３２６・・・変更情報判定部
３２８・・・ＨＷ種別判定部
３４・・・無線装置
３４０・・・本体
３６・・・無線装置プログラム
３６０・・・ＨＷ種別送信部
【図１】
2008078753.tif 000003
【図２】
2008078753.tif 000004
【図３】
2008078753.tif 000005
【図４】
2008078753.tif 000006
【図５】
2008078753.tif 000007
【図６】
2008078753.tif 000008
【図７】
2008078753.tif 000009
【図８】
2008078753.tif 000010
【図９】
2008078753.tif 000011
【図１０】
2008078753.tif 000012
【図１１】
2008078753.tif 000013
【図１２】
2008078753.tif 000014
【図１３】
2008078753.tif 000015
【図１４】
2008078753.tif 000016
【図１５】
2008078753.tif 000017
【図１６】
2008078753.tif 000018
【図１７】
2008078753.tif 000019
【図１８】
2008078753.tif 000020
【図１９】
2008078753.tif 000021
【図２０】
2008078753.tif 000022
【図２１】
2008078753.tif 000023
【図２２】
2008078753.tif 000024
【図２３】
2008078753.tif 000025
【図２４】
2008078753.tif 000026
【図２５】
2008078753.tif 000027
【図２６】
2008078753.tif 000028